(57)【要約】【課題】複宇のリモコンを常に傍らに置いておく必要がなく、リモコンの利便性の向上を図るものである。【解決手段】汎用リモコンには、送受信データ処理チップ４１があり、このチップ内には、図示しないが例えば、ＣＰＵと、汎用操作スイッチ部３７の識別判定部と、学習、長押し、削除、繰り返しスイッチ３２〜３５の識別判定部と、光送受信部などの回路機能部がチップ化されて収納されている。データ処理チップ４１には、受信用光ダイオード４２により受信した例えば、付属リモコンからのスイッチデータを復調し、ビットデータに変換する回路機能部を有する。ビットデータは不揮発性メモリ４３に保存される。このメモリ４３に保存されたデータが、汎用リモコンの被登録スイッチのデータになる。【選択図】  図４
2004179700.tif 000002
【特許請求の範囲】
【請求項１】
電子機器装置付属の第１リモコンの送受信部と、汎用の第２リモコンの送受信部とを向かい合わせて、第１リモコンのスイッチデータを第２リモコンの操作スイッチに学習登録させるために送信し、第２リモコンには第１リモコンからのスイッチデータを学習登録させるための学習登録付加機能スイッチを設け、このスイッチを操作しながら第１リモコンのスイッチデータを第２リモコンの操作スイッチに学習登録させることを特徴とする学習機能型リモコン。
【請求項２】
学習登録付加機能スイッチは、長押し設定用、繰り返し設定用、学習登録設定用及び削除設定用スイッチ部からなることを特徴とする請求項１に記載する学習機能型リモコン。
【請求項３】
第２リモコンには、第１リモコンからのスイッチデータを格納する不揮発性メモリを設け、たの不揮発性メモリから第２リモコン使用時スイッチデータを読み出すことを特徴とする請求項１又は２に記載する学習機能型リモコン。
【発明の詳細な説明】
【０００１】
【発明の属する技術分野】
本発明は、ＴＶ、ＶＴＲ、ＣＤ、ＤＶＤ等の電子機器装置に付属されている光リモコンの送信スイッチ機能を学習させて、電子機器付属の光リモコンと同等に使用することができる学習機能型リモコンに関するものである。
【０００２】
【従来の技術】
近年、各種電子機器装置には、それぞれ光リモコンが付属されているため、家庭内のリモコン数が多くなり、どの電子機器装置を操作するためのリモコンであるのか、判断が迷うことがある。
この不具合を回避するために、各種電子機器装置を操作することができる汎用リモコンと称されるものがある。この汎用リモコンは、各種電子機器装置の製造元によって製造された機器のためのコマンド等を記憶したものである。
「特許文献１」
特開平０８−０７９８６４号公報
「特許文献２」
特開平０８−１４０１６７号公報
「特許文献３」
特開２００１−２５８０８３号公報
【０００３】
【発明が解決しようとする課題】
上述したように使用する頻度の高い電子機器装置が２種類以上あると、それぞれの機器操作用リモコンは、常に傍らに置いておく必要があるので、利便性に欠ける問題がある。
【０００４】
本発明は、上記の事情に鑑みてなされたものであり、機器に付属した複数のリモコンスイッチ機能の内、使用するリモコンのスイッチ機能を汎用性のあるリモコンに転写して操作できるようにしたので、複数のリモコンを常に傍らに置いておく必要がなくなり、利便性の向上を図った学習機能型リモコンを提供することを目的とするものである。
【０００５】
【課題を解決するための手段】
上記する目的を達成するために本発明学習機能型リモコンは、電子機器装置付属の第１リモコンの送受信部と、汎用の第２リモコンの送受信部とを向かい合わせて、第１リモコンのスイッチデータを第２リモコンの操作スイッチに学習登録させるために送信し、第２リモコンには第１リモコンからのスイッチデータを学習登録させるための学習登録付加機能スイッチを設け、このスイッチを操作しながら第１リモコンのスイッチデータを第２リモコンの操作スイッチに学習登録させるものである。
【０００６】
また、本発明の学習登録付加機能スイッチは、長押し設定用、繰り返し設定用、学習登録設定用及び削除設定用スイッチ部からなっている。
更に、本発明の第２リモコンには、第１リモコンからのスイッチデータを格納する不揮発性メモリを設け、たの不揮発性メモリから第２リモコン使用時スイッチデータを読み出すようにしてある。
【０００７】
【発明の実施の形態】
以下、図面に従って、本発明の実施の形態を詳細に説明する。
図１（ａ）、（ｂ）は、電子機器装置に付属の第１リモコン（以下、付属リモコンと称する）ａ、ｂの平面図で、この付属リモコンａ、ｂのスイッチ「Ｎｏ．１」〜「Ｎｏ．２３」を押し、それに対応した付属リモコンａ、ｂからの光送信データを、図１（ｃ）に示す本発明の汎用の第２リモコン（以下、汎用リモコンと称する）ｃの汎用操作スイッチ部に、学習登録させる例を示す平面図である。
【０００８】
次に、図１（ａ）〜（ｃ）において、３１は光送受信部である。また、図１（ｃ）において、３２は学習登録付加機能スイッチで、スイッチデータ登録時にオン状態を長く継続する長押し設定用スイッチ部、３３は同じくチャンネル用スイッチデータの連続順・逆送り等の機能設定ができる繰り返し設定用スイッチ部、３４は同じくスイッチデータの学習登録設定用スイッチ部、３５は同じく登録したスイッチデータを削除するときの削除設定用スイッチ部である。尚、３６と送受信中に点灯するランプである。
【０００９】
次に、上記学習登録付加機能スイッチを使用して付属リモコンａ、ｂのスイッチデータを、汎用リモコンｃのスイッチ部に学習登録する手段を図２、図３に従って説明する。
図２において、符号３７は複数の汎用装置スイッチ部（以下、被登録スイッチと称する）で、この被登録スイッチ３７の内、被登録スイッチ３７ａに付属リモコンａのスイッチ「Ｎｏ．１」のデータを学習登録させるには、付属リモコンａのスイッチ「Ｎｏ．１」を押し続けてスイッチオン状態を継続する。
【００１０】
その後、汎用リモコンｃの長押し設定用スイッチ３２をスイッチオンにし、このスイッチ部３２を学習登録完了するまでオン状態を継続する。
次に、図３（イ）において、学習登録設定用スイッチ部３４をスイッチオン状態にし、このスイッチオン状態の間に図３（ロ）で登録したい被登録スイッチ３７ａを、例えば０．３秒以上押してスイッチオンにする。
【００１１】
その後、図３（ハ）にて被登録スイッチ３７ａをオフにしてから、学習登録設定用スイッチ部３４のオン操作を、図３（ニ）にて停止してスイッチをオフにする。この時、送受信中ランプ３６は、図３（ニ）におけるスイッチ部３４のオフ後も、図３（ホ）に示すように、正常に学習が終了するまで点灯し続け、学習登録が終了すると、図３（ヘ）にてランプ３６は消灯する。
【００１２】
尚、付属リモコンａ  ｂと汎用リモコンｃとは、約５ｃｍ前後の距離に光送受信部３１を向かい合わせ、付属リモコンａかｂかのスイッチは、汎用リモコンｃの送受信ランプ３６が消灯するまでスイッチオンを継続する。
【００１３】
複数の被登録スイッチに連続して順・逆送り、又は音量の連続変更等の機能設定をするときには、繰り返し設定用スイッチ部３３をスイッチオン状態にして学習完了後にオフにすることにより、簡単に複数の被登録スイッチに付属リモコンのスイッチデータを学習登録させることができる。
【００１４】
また、被登録スイッチに学習登録したスイッチデータは、削除設定用スイッチ部３５の操作により容易に登録を削除できる。例えば、図３に示すように登録した手順にて送受信中ランプ３６が点灯後、削除設定用スイッチ部３５をオンにし、登録したスイッチをオンにすれば、学習内容を削除できる。送受信中ランプ３６が消灯すれば削除完了である。
【００１５】
図４は、本発明の実施の形態の回路構成図で、汎用リモコンｃ内には、符号４１で示す送受信データ処理チップがあり、このチップ内には、図示しないが例えば、ＣＰＵと、汎用操作スイッチ部３７のどのスイッチが操作されたかどうかを識別し、判定する識別判定部と、学習、長押し、削除、繰り返しスイッチ３２〜３５のどのスイッチが操作されたかどうかを識別し、判定する識別判定部と、光送受信部などの回路機能部がチップ化されて収納されている。
【００１６】
データ処理チップ４１には、受信用光ダイオード４２により受信した、例えば、付属リモコンａからのスイッチデータ（登録させるスイッチデータ）を復調し、ビットデータに変換する回路機能部（図示せず）も有する。
【００１７】
変換されたビットデータは、図示しないインターフェースを介して不揮発性メモリ（フラッシュメモリ）４３に保存される。このメモリ４３に保存されたスイッチデータが、汎用リモコンｃの被登録スイッチのデータになる。
【００１８】
上記のように不揮発性メモリ４３に保存された被登録スイッチのデータは、そのスイッチを押すと、不揮発性メモリ４３から適応のスイッチデータが読み出され、３８ＫＨｚ変調信号にて送信用発光ダイオード（ＬＥＤ）４４から電子機器装置（図示せず）の受光部に向けて送信される。尚、図４において４５は水晶発振部、４６は電池からなる直流電源部である。
【００１９】
図５および図６は、付属リモコンａからのスイッチデータが汎用リモコンｃに送られたときの学習登録データ処理の作用を述べるタイムチャート及び復調データ処理のフローチャートである。
【００２０】
図５において、図５（ａ）は付属リモコンａから汎用リモコンｃに向けて送信された光受信信号で、この信号からチップ内の復調機能部により図５（ｂ）に示す復調データを得る。
【００２１】
次に、復調データ処理の流れを図６により述べる。図６において、ステップＳ１で光信号を受光し、その光信号を電気信号に変換する。その後、３８ＫＨｚフィルタを用いて、ステップＳ２で３８ＫＨｚ変調信号を復調する。
【００２２】
復調後、ステップＳ３のデータ処理チップで、図５に示すように復調データを、１００μｍピッチの１９１２個のビットデータに変換する。その後、ステップＳ４に示す不揮発性メモリには、学習登録させるスイッチデータの保存割付エリアにビットデータ（登録されたスイッチデータ）が書き込み保存される。
【００２３】
図７、図８は、登録されたスイッチデータを用いて電子機器装置を操作するときのタイムチャート及びフローチャートである。図７において、汎用リモコンｃの被登録スイッチに登録されたスイッチを押すと、不揮発性メモリから適応のビットデータ（最大１９１２ビット）が図７（ａ）に示すように読み出される。
読み出されたビットデータは、１００μｍピッチにて３８ＫＨｚの変調信号に変換されて光送信信号（図７（Ｃ））として電子機器装置の受光部に送信される。
【００２４】
図８は、上記送信データ処理のフローチャートで、ステップＳ１で何れかのスイッチを押すと、データ処理チップから不揮発性メモリに対してステップＳ２にて不揮発性メモリ内の割付エリアよりビットデータが読み出される。
読み出されたビットデータは、ステップＳ３でビットデータを３８ｋＨｚの変調信号に変換した後、その変調信号（電気信号）は光信号にステップＳ４にて変換されて電子機器装置に向けて送信される。
【００２５】
上記のように回路構成された汎用リモコンは、学習登録された各スイッチ機能を自由配置としたので、各スイッチ機能学習時にネームシートにより各スイッチの機能表示配列を作成する必要がある。以下、図９、図１０にその手段を示す。
【００２６】
図９（ａ）はリモートコントローラ本体９１の平面図、図９（ｂ）はネームシート９２を示す平面図、図９（ｃ）は断面図である。ネームシート９２は適宜切り取ってリモートコントローラ本体９１に配置し、そのネームシート９２の上から透明保護カバー９３を被せてネームシート９２を被覆する。９４は電池ホルダーである。
図１０は、上記図９におけるリモートコントローラ本体９１のネームシート９２、透明保護カバー９３を取り付ける時の分解斜視図である。
【００２７】
【発明の効果】
以上、述べたように、本発明によれば電子機器装置に付属した複数のリモコンスイッチ機能の内、使用するリモコンのスイッチ機能を汎用性のあるリモコンスイッチに学習登録して操作できるようにしたので、複数のリモコンを常に傍らに置いておく必要がなくなり、リモコンの利便性の向上を図ることができる利点を有している。
【図面の簡単な説明】
【図１】（ａ）、（ｂ）、（ｃ）は電子機器装置の付属のリモコン及び汎用リモコンの平面図。
【図２】本発明の実施の形態を示すリモコンの平面図。
【図３】スイッチ学習登録方法の手順を示す説明図。
【図４】本発明の実施の形態を示す電気的回路構成図。
【図５】学習処理データ手順を示すタイムチャート。
【図６】復調データ処理のフローチャート。
【図７】送信処理手順を示すタイムチャート。
【図８】送信データ処理のフローチャート。
【図９】リモコンのパネルデザインを示す平面図及び断面図。
【図１０】ネームシート取付手順を示す分解斜視図。
【符号の説明】
３１  光送受信部
３２  長押し設定用スイッチ部
３３  繰り返し設定用スイッチ部
３４  学習登録設定用スイッチ部
３５  削除設定用スイッチ部
３６  送受信中ランプ
３７  汎用操作スイッチ部
４１  送受信データ処理チップ
４２  受信光ダイオード
４３  不揮発性メモリ
４４  送信用発光ダイオード
【図１】
2004179700.tif 000003
【図２】
2004179700.tif 000004
【図３】
2004179700.tif 000005
【図４】
2004179700.tif 000006
【図５】
2004179700.tif 000007
【図６】
2004179700.tif 000008
【図７】
2004179700.tif 000009
【図８】
2004179700.tif 000010
【図９】
2004179700.tif 000011
【図１０】
2004179700.tif 000012